(57)【要約】本発明は、送信機および受信機デバイス（ＴＸ１、ＴＸ２、ＲＸ１、ＲＸ２）を備え、受信信号レベル範囲に対する同じ固定された出力信号レベルを供給する自動光信号レベル構成手段（ＡＣ１からＡＣ４）を備え、少なくとも１つの自動セルフレベルユニット（ＡＣ１、ＡＣ３）を送信機デバイス（ＴＸ１、ＴＸ２）内に、少なくとも１つの自動セルフレベルユニット（ＡＣ２、ＡＣ４）を受信機デバイス（ＲＸ１、ＲＸ２）内に備える光伝送システムに関する。
2009538072.tif 000002
【特許請求の範囲】
【請求項１】
送信機および受信機デバイス（ＴＸ１、ＴＸ２、ＲＸ１、ＲＸ２）を備え、光信号レベル構成手段（ＡＣ１からＡＣ４）を備え、前記信号レベル構成手段（ＡＣ１からＡＣ４）は受信信号レベル範囲に対する同じ固定された出力信号レベルを供給する自動セルフレベルユニットであることを特徴とし、少なくとも１つの自動セルフレベルユニット（ＡＣ１、ＡＣ３）を前記送信機デバイス（ＴＸ１、ＴＸ２）内に、少なくとも１つの自動セルフレベルユニット（ＡＣ２、ＡＣ４）を前記受信機デバイス（ＲＸ１、ＲＸ２）内に備える光伝送システム。
【請求項２】
前記送信機デバイス（ＴＸ１、ＴＸ２）の前記自動セルフレベルユニット（ＡＣ１、ＡＣ３）は、少なくとも前記送信機デバイス（ＴＸ１、ＴＸ２）に供給される異なる信号（ＲＦｉ）レベルを補償するように適合され、前記受信機デバイス（ＲＸ１、ＲＸ２）の前記自動セルフレベルユニット（ＡＣ２、ＡＣ４）は、少なくとも光ファイバ（ＯＦ１、ＯＦ２）信号減衰を補償するように適合されている請求項１に記載の光伝送システム。
【請求項３】
前記送信機デバイス（ＴＸ１、ＴＸ２）に供給される前記信号（ＲＦｉ、ＲＦｉ’）は、１つまたは複数の搬送波を有する無線周波信号である請求項２に記載の光伝送システム。
【請求項４】
前記自動セルフレベルユニット（ＡＣ１からＡＣ４）は、さらに、光デバイスの経年変化および／または温度効果による信号変動を補償するように適合される請求項２に記載の光伝送システム。
【請求項５】
さらに、信号結合器（ＲＣ）に接続されたアップリンク方向（ＵＬ）の少なくとも２つの並列光リンクを備えるステップと、それぞれの光リンクは同じ定められた出力レベルを前記信号結合器（ＲＣ）の入力に供給するステップとを含む請求項１に記載の光伝送システム。
【請求項６】
送信機および受信機デバイス（ＴＸ１、ＴＸ２、ＲＸ１、ＲＸ２）を備える光伝送システムにおける光伝送信号レベルを構成する方法であって、少なくとも１つの自動セルフレベルユニット（ＡＣ１、ＡＣ３）を前記送信機デバイス（ＴＸ１、ＴＸ２）内に、少なくとも１つの自動セルフレベルユニット（ＡＣ２、ＡＣ４）を前記受信機デバイス（ＲＸ１、ＲＸ２）内に備え、前記自動セルフレベルユニット（ＡＣ１からＡＣ４）は一定範囲の受信信号レベル値に対する決定された固定出力信号レベルを供給するステップを含む方法。
【請求項７】
前記送信機デバイス（ＴＸ１、ＴＸ２）の前記自動セルフレベルユニット（ＡＣ１、ＡＣ３）は、少なくとも前記送信機デバイス（ＴＸ１、ＴＸ２）に供給される異なる信号（ＲＦｉ）レベルを補償するように設定され、前記受信機デバイス（ＲＸ１、ＲＸ２）の前記自動セルフレベルユニット（ＡＣ２、ＡＣ４）は、少なくとも光ファイバ（ＯＦ１、ＯＦ２）信号減衰を補償するように設定されている請求項６に記載の光伝送信号レベルを構成する方法。
【請求項８】
前記送信機デバイス（ＴＸ１、ＴＸ２）に供給される前記信号（ＲＦｉ、ＲＦｉ’）は、１つまたは複数の搬送波を含む無線周波信号である請求項７に記載の光伝送信号レベルを構成する方法。
【請求項９】
前記自動セルフレベルユニット（ＡＣ１からＡＣ４）は、さらに、光デバイスの経年変化および／または温度効果による信号変動を補償するように設定される請求項７に記載の光伝送信号レベルを構成する方法。
【請求項１０】
さらに、同じ定められた出力レベルを供給するようにアップリンク方向（ＵＬ）で少なくとも２つの並列光リンクの自動レベリングを行う請求項６に記載の光伝送信号レベルを構成する方法。
【発明の詳細な説明】
【技術分野】
【０００１】
本発明は、一般に光伝送システムに関するものであり、より具体的には、光伝送信号レベルを構成する方法およびシステムに関するものである。
【背景技術】
【０００２】
無線周波ＲＦ通信システムは、典型的には、例えば、長い距離にわたって分布する建物およびトンネル内において、光ファイバの低損失という特性を大いに活かして光ファイバ伝送ネットワークを使用する。
【０００３】
図１は、ダウンリンクＤＬおよびアップリンクＵＬ方向のアナログ方式光伝送ネットワークを用いる典型的なＲＦ通信システムのブロック図を示している。ダウンリンクＤＬでは、ＲＦ信号ＲＦｉは、光信号を受信して対応するＲＦ出力信号ＲＦｏを供給する受信機デバイスＲＸ１に、光ファイバ・リンクＯＦ１を介して光で伝送されるように信号を適応させる役割を持つ送信機デバイスＴＸ１に供給される。光伝送ネットワーク送信機デバイスＴＸ１は、典型的にはレーザー、ときには前置増幅器をも備える光送信機ＯＴｘ１の入力で信号レベルを制限する可変減衰器ＡＴ１を備える。光ファイバの反対側では、受信機デバイスＲＸ１が、光受信機ＯＲｘ１とその後に続く、所望の信号レベルを電力増幅器ＰＡ１に供給するもう１つの可変減衰器ＡＴ２を備えている。アップリンク方向ＵＬでは、ＲＦ信号ＲＦｉ’は、光信号を受信して対応するＲＦ出力信号ＲＦｏ’を供給する受信機デバイスＲＸ２に、光ファイバ・リンクＯＦ２を介して光で伝送されるように信号を適応させる役割を持つ送信機デバイスＴＸ２に供給される。光送信機デバイスＴＸ２は、電力増幅器ＰＡ２とその後に続く、光送信機ＯＴｘ２の入力で固定信号レベルを供給する可変減衰器ＡＴ３とを備える。光ファイバの反対側では、受信機デバイスＲＸ２が、光受信機ＯＲｘ２とその後に続く、所望の信号レベルを信号結合器ＲＣの決定された入力３に供給するもう１つの可変減衰器ＡＴ４を備えている。信号結合器ＲＣは、図の実施例に示されているものと並列になっている他のアップリンク光リンク（図に示されていない）を対象とするさらに多くの入力１、２、４を備える。
【０００４】
可変減衰器ＡＴ１からＡＴ３は、大きすぎる信号レベルによる光送信機ＯＴｘ１、ＯＴｘ２および電力増幅器ＰＡ１の過剰駆動から生じる信号歪みを回避するために光ネットワーク内に置かれる。アップリンクＵＬでは、減衰器ＡＴ４は、結合器ＲＣの出力で所定の固定信号レベル（異なるアップリンク光信号の総和）に達し、並列光リンクのすべての出力信号が同じレベルに設定されうるように固定信号レベルを結合器ＲＣの特定の入力３に供給する。
【０００５】
上述の知られているアナログ光システムの問題は、ネットワーク・コミッショニング、つまり、光ネットワークを運用できる状態にする場合、またはメンテナンスもしくは障害ネットワーク試験の場合に、光ネットワーク減衰器ＡＴ１からＡＴ４は、毎回、出力に現れる信号が決定された値を持つように最適なレベルに設定されなければならないことである。これは、例えば、ダウンリンクＤＬにおいて、さらにはアップリンクＵＬにおいて、ソースＳ１、Ｓ２信号を光ネットワークに供給し、例えば、信号監視機器ＡＮ１からＡＮ４を使って減衰器、電力増幅器ＰＡ１、および／または結合器ＲＣの出力に現れる信号レベルを読み取り、減衰器を必要なレベルに設定することにより行われる。上記のステップを実行する際に、信号ソースを用意し、減衰器ＡＴ１およびＡＴ４が置かれている場所に行き、監視機器ＡＮ１からＮＡ４を接続し、読み取り、減衰器を手動でレベリングするために多くの人員が必要である。このような光ネットワーク・システムが、信号の入力の場所と出力の場所との間の距離が長い広い領域にわたって分布することを考慮した場合、多くの人による労力が必要となることは明らかであり、システムが多数のトンネル内に、または巨大な建物内に設置された場合にいくつかの実用上の問題、例えば、減衰器の配置、および人員間の通信連絡の問題が生じうる。人員が多くなることを避ける代替方法は、ソース信号Ｓ１およびＳ２、ＡＴ１からＡＴ４までの減衰器の出力に現れる信号、および最適なレベルに設定するように減衰器上で遠隔作動させる手段に関する表示情報を単一の場所に用意することであろう。後者は、１人でも行うことができるが、複雑さが増し、光ネットワークのコストが増大し、いずれにせよ、光ネットワーク・システムおよびシステム・パラメータ、例えば、ＲＦ搬送波の数などの変動があり、これの対話操作および調節が必要である。
【発明の開示】
【発明が解決しようとする課題】
【０００６】
本発明の目的は、ネットワーク・コミッショニングおよび試験の必要性を減じる光伝送のための改善された方法およびシステムを実現することである。
【課題を解決するための手段】
【０００７】
この目的は、請求項１による光伝送システムおよび請求項６による光伝送信号レベルを構成するための方法により達成される。
【０００８】
本発明による光ネットワークは、ネットワーク構造全体にわたって自動セルフレベリング機能を備えるために自動セルフレベリング・ユニットの組み合わせを備える。この目的のために、アップリンク方向およびダウンリンク方向において、システムは、少なくとも１つの自動セルフレベリング・ユニットを送信機および受信機デバイス内に備える。自動セルフレベリング・ユニットのダイナミック・レンジとその反応時間は、最初に、システム全体が光送信機、増幅器、または結合器の入力のところに定められた信号レベルを供給するバランスのとれた形で動作するように互いに対し調節されうる。
【０００９】
本発明による自動セルフレベリング・ユニットを使用することで、システムは、アップリンクおよびダウンリンク方向に、使用される搬送波または入力電力レベルの数の特定のダイナミック・レンジの範囲内で、独立に、一定のコンポジット信号を所望の場所に供給する。自動セルフレベリング・ユニットは、さらに、光ファイバ・リンクまたは光デバイスの経年変化の影響により引き起こされる信号損失を補償することもできる。このように配列した場合、セルフレベリング・ユニットの入力における特定の信号範囲内であれば、ネットワーク・パラメータが変えられる毎に、例えば、新しい信号搬送波が導入されるか、または経年変化および温度効果が信号損失もしくは利得をもたらす毎に、コミッショニングおよび試験の作業は必要ない。光ネットワークが設置され、動作の設定が行われた後、コミッショニングおよび試験のための費用のかかる監視機器および保守要員を省くことができる。
【００１０】
本発明のさらなる有利な構成は、従属請求項、以下の説明、および図面からわかる。
【００１１】
本発明の実施形態例は、図１および２の助けを借りて説明される。
【発明を実施するための最良の形態】
【００１２】
図２は、可変減衰器ＡＴ１からＡＴ４が、自動セルフレベリング・ユニットＡＣ１からＡＣ４により置き換えられた図１による光伝送ネットワークを使用したＲＦ通信システムを示している。ダウンリンクＤＬでは、送信機デバイスＴＸ１内の自動セルフレベリング・ユニットＡＣ１は、送信機デバイスＴＸ１に供給されるＲＦ信号ＲＦｉレベルとは無関係に一定のコンポジット信号レベルを光送信機ＯＴｘ１に供給する。例えば、送信機デバイスに供給されるＲＦ信号ＲＦｉは、１つまたは複数の搬送波信号を含むことができ、搬送波が追加されるか、または除去される毎に、信号レベルは増減し、自動セルフレベリング・ユニットＡＣ１は、特定の信号範囲内のこれらの信号レベルの変化を補償する。光ファイバＯＦ１の反対側では、受信機デバイスＲＸ１が、光受信機ＯＲｘ１により与えられる信号レベルと無関係に、一定のコンポジット信号レベルを電力増幅器ＰＡ１に供給するもう１つの自動セルフレベリング・ユニットＡＣ２を備えている。
【００１３】
同じ自動セルフレベリング機能ＡＣ３およびＡＣ４も、アップリンク光接続の送信機および受信機デバイスＴＸ２、ＲＸ２内に導入される。アップリンク方向ＵＬでは、これは、信号結合器ＲＣに接続されているすべての光並列リンクが信号結合器の入力ポート１から４に同じ定められた出力レベルを供給する場合に、有利である。
【００１４】
自動セルフレベリング・ユニットＡＣ１からＡＣ４では、ａ）送信機デバイスＴＸ１、ＴＸ２に供給されるＲＦ信号ＲＦｉ、およびｂ）信号レベル調節を必要とする主パラメータである、光ファイバ・リンクＯＦ１、ＯＦ２の損失とは無関係に、そのようなデバイスの制限に応じて、特定のダイナミック・レンジ内で光ネットワーク・システムを動作させることができる。
【図面の簡単な説明】
【００１５】
【図１】光伝送ネットワークを使用した従来のＲＦ通信システムの簡略化したブロック図である。
【図２】本発明による光伝送ネットワークを含むＲＦ通信システムの簡略化したブロック図である。
【図１】
2009538072.tif 000003
【図２】
2009538072.tif 000004
【国際調査報告】
2009538072.tif 000005
2009538072.tif 000006
2009538072.tif 000007